(57)【特許請求の範囲】
【請求項１】
それぞれ摘み部と茎保持部を有する一対の挟持片の中途部に、一方の挟持片には軸部を、他方の挟持片には前記軸部と係合する前記摘み部側が開放したフック部をそれぞれ設け、前記軸部とフック部の茎保持部側に、誘引紐を噛み込んだ状態で係合する紐挟み部を形成し、前記一対の挟持片のいずれかに、内側に向けて突出する突起部であり、前記一対の挟持片の茎保持部を互いに開いた状態では前記フック部を前記軸部に係合するように奥まで挿し込み可能な位置にあり、かつ、前記一対の挟持片の茎保持部を互いに閉じた状態では前記フック部の茎保持部側への離脱を阻止する位置にある突起部を設け、前記一対の挟持片の茎保持部側が閉じるように押圧するＣ字状バネを設けたことを特徴とする植物茎誘引用クリップ。
【請求項２】
前記フック部は、前記一対の挟持片の茎保持部を互いに開いた状態で前記突起部と前記軸部の間の隙間から奥まで挿し込むように装着するものであり、かつ、前記一対の挟持片の茎保持部を互いに閉じた状態では、前記突起部に前記フック部の背が当たり、前記突起部と前記軸部の間の隙間から抜けなくなるものである請求項１記載の植物茎誘引用クリップ。
【請求項３】
前記軸部が設けられている挟持片の中途部内側には薄肉部が設けられており、
前記フック部は、前記フック部が設けられている挟持片の中途部内側に、前記薄肉部の幅より少し距離が離れている上下一対の釣針状であり、
前記フック部が設けられている挟持片の中途部は、前記薄肉部が入り込み、前記薄肉部とともに前記誘引紐を挟む上下壁が形成されている
請求項１または２に記載の植物茎誘引用クリップ。
【請求項４】
前記フック部における前記突起部を有する挟持片側端部に、前記薄肉部と前記フック部の間の隙間から前記誘引紐が滑りこむことを防止するための前記フック部の面よりも隆起させて形成した紐滑り込み防止凸部を有する請求項３記載の植物茎誘引用クリップ。
【請求項５】
前記一対の挟持片の双方の茎保持部の先端には、所定の重なり代を有して噛み合う切欠部を形成したことを特徴とする請求項１から４のいずれか１項に記載の植物茎誘引用クリップ。
【発明の詳細な説明】
【技術分野】
【０００１】
本発明は、トマト、ナス、ピーマン、キュウリ、メロン等の果菜類の植物茎誘引用クリップに関する。
【背景技術】
【０００２】
トマト、ナス、ピーマン、キュウリ、メロン等の果菜類は、茎が生長すると、茎の自重で自立することができない。そこで、ビニルハウス栽培（施設園芸）では、図１０に示すように、ビニルハウスの天井部に横に張られた誘引線１００に、茎を吊り上げるための誘引用紐１０１を取り付け、吊り下げられた誘引紐１０１を、図１１に示すように誘引用クリップ５０の支点部５１そばの誘引紐挟み部５２で誘引紐１０１を挟むと同時に、誘引用クリップ５０の茎保持部５３にトマト等の茎Ｓを入れ、茎Ｓを吊り上げる直立誘引方法が行われている。
【０００３】
別の方法としては、図１２に示すように、ビニルハウス内の畝に一定間隔に支柱１０２を立て、誘引紐１０３を支柱１０２に巻き付けながら横方向に数段取り付け、横方向に張られた誘引紐１０３に、図１３に示すように、誘引用クリップ５０の支点部５１そばの誘引紐挟み部５２で横張りされた誘引紐１０３を挟むと同時に、誘引用クリップ５０の茎保持部５３にトマト等の茎Ｓを挟み込み、茎Ｓを斜めに吊り上げる横誘引方法も、多く採用されている。なお、誘引用クリップ５０は、図１６に示すように、左右の摘み部５４，５５と挟持片５６，５７の中途部が支点部５１でフレキシブルに連結された一体成形品であり、左右の挟持片５６，５７間に、外側からＣ状金属線バネ５８が取り付けられていて、挟持片５６，５７が閉じる方向に弾性力が与えられている。
【０００４】
金属線バネを用いた別の誘引用クリップとしては、特許文献１〜３に記載されたものが提案されている。
【０００５】
また、図１９、図２１に示す誘引用クリップ７０のように、洗濯挟み式の挟持片７１，７２をヒンジ凸部７４とヒンジ凹部７５で開閉自在に組み合わせ、Ｃ状金属線バネ７６で挟持片７１，７２を挟み付け、挟持片７１と７２のヒンジ部の前方に紐挟み部７３を設けたものもある。
【０００６】
以下は、トマトの施設園芸栽培の場合について説明する。
施設園芸栽培（ビニルハウス栽培）では、特にトマトの長期栽培は、ほぼ年間に渡り栽培を行うため茎の生長に合わせ、誘引用クリップで茎を留め替え、茎の留める位置を移動する。
茎の根元に近い部分から収穫し、収穫された茎の部分を下方向にずらしていく。同時に生長部は上方向へ伸びていくので、茎が折れないように、図１４、図１５に示すように、誘引用クリップ５０で繰り返し留め替え作業を行う。
ビニルハウス内は、薬剤の散布や紫外線照射等により、ビニルハウスの外で使用されるよりも誘引用クリップの劣化が速く、毎年繰り返し使用されるために、古くなるとプラスチック樹脂の劣化による誘引用クリップの破損が多くなる。
【０００７】
トマトの場合、１本の茎に誘引用クリップを２〜３個使って誘引し、一反（約９９０ｍ2）のビニルハウスに茎を２０００〜２１００本定植するので、生産者の誘引用資材費の削減や、作業の軽減をするためには、低価格で長年使用しても劣化しにくく、作業性のよい誘引用クリップが必要である。
【０００８】
特許文献２に記載されたクリップ６０は、図１７，図１８に示すように、２つの挟持片６１，６２を合わせて組み合わせた挟持片の穴６３，６４に、支点となる別部品の支点軸６５を通し、その後、金属製バネ６６を取り付けて製品とし、茎と紐を挟む機構を有するクリップであり、支点軸６５となる別部品が必要であるので、コストも高く、生産者購入価格も高くなる。
また、長年繰り返し留め替え、誘引作業をすると、中には支点軸６５が外れたり、支点軸６５を通すための穴６３，６４近くが肉薄となっているので、劣化したクリップは、穴６３，６４近くの挟持片６１，６２中央部から割れ、破損したりすることがある。
【０００９】
特許文献３に記載されたクリップは、支点軸を使っていないので支点軸を通す穴もなく、長年繰り返し使用しても劣化により挟持片中央部から割れることはないが、２つの挟持片を薄肉のヒンジ部で接続して一体成形し、挟持片中央部のヒンジ部を支点にして折り曲げ、茎保持部を開閉する機構になっているので、長年繰り返し使用すると、薄肉部のヒンジが劣化してヒンジ部から割れることがある。
【００１０】
図１９に示した従来品のクリップ７０は、支点軸を組み込まずに２つの挟持片７１，７２を組み合わせ、バネ７６の押さえる力だけで茎保持部７７を押さえるもので、図２０に示すように誘引紐１０１を支点となるヒンジ部近くの誘引紐挟み部７３に挟むと、茎保持部７７を押さえているバネ７６の力で、挟んでいる誘引紐１０１が支点となり、挟持片７１，７２の支点となるヒンジ凸部７４とヒンジ凹部７５の組み合わせ部分が浮き上がる。そのために、誘引紐１０１を挟む力が弱くなり、直立誘引方法に使用すると、茎の重量で誘引用クリップ７０が、下方向へずれて、茎をしっかりと固定することができなくなる。
中には、２つの挟持片の組み合わせ部に、誘引紐を誘引紐挟み部に挟んでも、浮き上がらないよう組み合わせ部の内側にアンダーカット７８（図２１参照）を設けている誘引用クリップもあるが、わずかなアンダーカットであるので、繰り返し誘引紐を挟み替え、開閉しているとアンダーカット７８が潰れて、誘引紐１０１を挟んだ時に、挟持片の組み合わせ部が浮き上がり、誘引紐１０１を挟む力が弱くなり、茎の重量で誘引用クリップ７０が下方向へずれて、茎をしっかり固定することができなくなる。
【先行技術文献】
【特許文献】
【００１１】
【特許文献１】特公平５−１５４０５号公報
【特許文献２】実用新案登録第３０１８０８１号公報
【特許文献３】意匠登録第１３９７４６０号公報
【発明の概要】
【発明が解決しようとする課題】
【００１２】
前掲の特許文献２に記載された誘引用クリップは、２つの挟持片を組み合わせて、別部品の支点軸を使い、金属バネで組み立てると、組み立てる手間が多くなり、支点軸を別に製造したり、購入したりする必要があって、製品コストが高くなり、生産者の購入価格も高くなる。
また、挟持片に支点軸を通すための穴を形成する必要があるため、長年使用していると、茎保持部を開こうと摘み部を摘むと、挟持片の支点部外側に力が掛かるために、挟持片が支点部近くの挟持片の組合せ部から折れることがある。
【００１３】
特許文献３に記載された誘引用クリップは、２つの挟持片をヒンジ部で一体成形し、ヒンジ部を支点にして茎保持部を開閉する構造にすることで、別部品の支点軸は不要で、支点軸を通す穴も不要なので、挟持片本体の強度は上がり、コストも下げられるが、長年繰り返し誘引紐を挟むことで、肉薄のヒンジ部は引っ張られ、負担が大きく、劣化してヒンジ部が割れることがある。
【００１４】
図１９に示した従来品は、支点軸や肉薄のヒンジを使わず、２つの挟持片を組み合わせた誘引用クリップであるため、支点となるヒンジ凸部とヒンジ凹部の組合せ部近くに誘引紐を挟むと、茎保持部を押さえているバネの力で誘引紐が支点となって、支点となるヒンジ凸部とヒンジ凹部の組合せ部が開き、誘引紐を挟む力が弱くなるので、直立誘引に使用すると、茎の自重で誘引紐を挟んでいる誘引用クリップが、下方向へ滑ってずれていき、茎をしっかり固定することができなくなる。
【００１５】
そこで本発明は、施設園芸（ビニルハウス栽培）で、茎の生長や収穫に応じて、常に茎の留め替え、移動や薬剤散布、紫外線照射等の環境の中でも、長年使用しても劣化による破損が少なく、低価格で茎の重量により、誘引紐からずれたりしない作業性の良い誘引用クリップを提供することを目的とする。
【課題を解決するための手段】
【００１６】
前記課題を解決するため、本発明の植物茎誘引用クリップは、それぞれ摘み部と茎保持部を有する一対の挟持片の中途部に、一方の挟持片には軸部を、他方の挟持片には前記軸部と係合する前記摘み部側が開放したフック部をそれぞれ設け、前記軸部とフック部の茎保持部側に、誘引紐を噛み込んだ状態で係合する紐挟み部を形成し、前記一対の挟持片のいずれかに、前記一対の挟持片の茎保持部を互いに閉じたときに前記フック部の茎保持部側への離脱を阻止する突起部を設け、前記一対の挟持片の茎保持部側が閉じるように押圧するＣ字状バネを設けたことを特徴とする。
【００１７】
本発明においては、フック部を設けた挟持片と、フック部の奥部と係合して回転軸となる軸部を設けた挟持片を組み合わせることで、別部品の支点軸が不要となり、コストも安くなり、挟持片に支点軸を通すための穴も不要なので、挟持片本体も強度が向上する。
【００１８】
また、２つの挟持片を肉薄のヒンジ部を支点として一体に連結していないので、長年繰り返し誘引作業をしても、劣化による破損が、従来の誘引用クリップより少なくなる。
【００１９】
さらに、茎保持部を開く時、一対の挟持片を押さえている金属製バネの力が強くても、摘み部を摘んで、茎保持部を大きく開いて、挟持片本体の外側、挟持片の組合せ部近くに大きな力がかかっても、挟持片本体には支点軸を通すための穴がないので、長年使用されても、支点となる挟持片組合せ部近くから劣化により割れることがない。
【００２０】
前記一対の挟持片の双方の茎保持部の先端に、所定の重なり代を有して噛み合う切欠部を形成することにより、誘引紐が太いなどで茎保持部先端が多少開いても、完全に開放されず、茎保持部先端で茎に傷をつけることがなく、また茎が離脱することがない。
【発明の効果】
【００２１】
本発明によれば、それぞれ摘み部と茎保持部を有する一対の挟持片の中途部に、一方の挟持片には軸部を、他方の挟持片には軸部と係合する摘み部側が開放したフック部をそれぞれ設け、軸部とフック部の茎保持部側に、誘引紐を噛み込んだ状態で係合する紐挟み部を形成し、一対の挟持片のいずれかに、一対の挟持片の茎保持部を互いに閉じたときにフック部の茎保持部側への離脱を阻止する突起部を設け、一対の挟持片の茎保持部側が閉じるように押圧するＣ字状バネを設けたことにより、施設園芸（ビニルハウス栽培）で、茎の生長や収穫に応じて、常に茎の留め替え、移動や薬剤散布、紫外線照射等の環境の中でも、長年使用しても劣化による破損が少なく、低価格で茎の重量により、誘引紐からずれたりしない作業性の良い誘引用クリップが得られる。
【図面の簡単な説明】
【００２２】
【図１】本発明の実施の形態１に係る誘引用クリップを開いた状態を示す平面図である。
【図２】本発明の実施の形態１に係る誘引用クリップの第１の挟持片の斜視図である。
【図３】本発明の実施の形態１に係る誘引用クリップの斜視図である。
【図４】本発明の実施の形態１に係る誘引用クリップを組み立てる途中の状態を示す平面図である。
【図５】本発明の実施の形態１に係る誘引用クリップに誘引紐を挟んでいる状態を示す平面図である。
【図６】本発明の実施の形態２に係る誘引用クリップを開いた状態を示す平面図である。
【図７】本発明の実施の形態２に係る誘引用クリップの分解斜視図である。
【図８】本発明の実施の形態２に係る誘引用クリップの第２の挟持片の斜視図である。
【図９】本発明の実施の形態２に係る誘引用クリップを組み立てる途中の状態を示す平面図である。
【図１０】ビニルハウス内でのトマトの直立誘引方法の説明図である。
【図１１】ビニルハウス内でのトマトの直立誘引時のクリップの使用状態の説明図である。
【図１２】ビニルハウス内でのトマトの横紐誘引方法の説明図である。
【図１３】ビニルハウス内でのトマトの横紐誘引時のクリップの使用状態の説明図である。
【図１４】直立誘引方法で下段のトマトを収穫後、成長し伸びた茎を下方向に下ろし、ずらしている状態の説明図である。
【図１５】横紐誘引方法で下段のトマトを収穫後、成長し伸びた茎を下方向に下ろし、ずらしている状態の説明図である。
【図１６】特許文献３の支点軸を使わず、挟持片を肉薄のヒンジ部でつないでいる茎誘引用クリップを示す斜視図である。
【図１７】特許文献２の支点軸を通す穴を設けた、組み立て前の挟持片の分解斜視図である。
【図１８】特許文献２の支点軸を使い、組み立てられた茎誘引用クリップの平面図である。
【図１９】従来品で挟持片を金属バネの押さえる力のみで組み立てられている茎誘引用クリップの平面図である。
【図２０】従来品で組み立てられた誘引用クリップで誘引紐を挟むことで支点部が浮き上がっている状態を示す斜視図である。
【図２１】従来品で挟持片の支点部に僅かなアンダーカットを設け、誘引紐を挟んでも支点部が浮き上がりにくくしている斜視図である。
【発明を実施するための形態】
【００２３】
以下、本発明の実施の形態を、図面を参照しながら説明する。
＜実施の形態１＞
図１〜図５は、本発明の実施の形態１に係る植物茎誘引用クリップ（以下、単に「クリップ」と称することがある。）１０を示すものである。
【００２４】
この実施の形態１に係るクリップ１０は、第１の挟持片１１と第２の挟持片１２とからなり、第１の挟持片１１には摘み部１１ａと茎保持部１１ｂが一体形成され、第２の挟持片１２にも摘み部１２ａと茎保持部１２ｂが一体形成されている。
【００２５】
第１の挟持片１１の中途部内側には薄肉部１１ｄと軸部１１ｃが設けられ、軸部１１ｃの茎保持部１１ｂ側には内側に向けて突出する突起部１１ｆが形成されている。第２の挟持片１２の中途部内側には、第１の挟持片１１の薄肉部１１ｄの幅より少し距離が離れている上下一対の釣針状のフック部１２ｃが設けられている。フック部１２ｃが設けられている第２の挟持片１２中途部は、第１の挟持片１１の薄肉部１１ｄが入り込み、薄肉部１１ｄとともに誘引紐を挟む上下壁１２ｄが形成されている。また、フック部１２ｃにおける第１の挟持片１１側端部には、紐挟み部１０ａに挟まれた紐に強い張力が掛かり、薄肉部１１ｄとフック部１２ｃの間の隙間から紐が滑りこむことを阻止するために、フック部１２ｃの面よりも隆起させて形成した紐滑り込み防止凸部１２ｆが設けられている。
【００２６】
第１の挟持片１１と第２の挟持片１２の茎保持部１１ｂ，１２ｂの先端は、４等分の対角側に切欠部１１ｅ，１２ｅが設けられており、茎保持部１１ｂ，１２ｂを閉じたときに、互いの切欠部１１ｅ，１２ｅが切欠部１１ｅ，１２ｅを設けていない先端部に入り込んで、所定の寸法の重なり代ｄ（図３参照）が生じるようにしている。
【００２７】
以上の構成の第１の挟持片１１と第２の挟持片１２を組み立てる際には、図４に示すように、第１の挟持片１１の突起部１１ｆと軸部１１ｃの間の隙間から第２の挟持片１２のフック部１２ｃを奥まで挿し込むように装着し、Ｃ状金属製バネ１３を摘み部１１ａ，１２ａの長穴に挿入し、挟持片１１，１２の茎保持部１１ｂ，１２ｂを先端部の切欠部１１ｅ，１２ｅが重なるまで閉じることで、第１の挟持片１１に設けられている突起部１１ｆに第２の挟持片１２のフック部１２ｃの背が当たり、支点部が抜けなくなる。その後、既にセットされているＣ状金属製バネ１３を組み込む。
【００２８】
金属製バネ１３が組み込まれたクリップ１０の摘み部１１ａ，１２ａを摘んで、茎保持部１１ｂ，１２ｂを開いた時、支点となる組合せ部のフック部１２ｃには、第１の挟持片１１に設けられている軸部１１ｃが係合されているので、金属製バネ１３の力が加わり、押さえ付けられても、支点部が潰れたり、割れたりせずに回転し、茎保持部１１ｂ，１２ｂが開く。
【００２９】
本実施の形態１では、図５に示すように、誘引紐１０１を支点部近くの薄肉部１１ｄと上下壁１２ｄの間の紐挟み部１０ａに挟んでも、軸１１ｃとフック部１２ｃとの係合部が浮き上がることがないので、誘引紐１０１をしっかり挟み込むことができる。そのため、直立誘引に使用しても、茎の重量で下方向へずれることなく誘引することができる。
【００３０】
またクリップ１０の茎保持部１１ｂ，１２ｂ先端には、紐挟み部１０ａに太い紐を挟んだときに、茎保持部１１ｂ，１２ｂの先端に隙間が出ないように重なり代ｄを有する切欠部１１ｅ，１２ｅを設けているので、茎の重量が薄肉部１１ｄと上下壁１２ｄに掛かって薄肉部１１ｄから上下壁１２ｄの重なりが小さくなるように茎保持部１１ｂと１２ｂを開く方向に力が掛かっても、茎保持部１１ｂ，１２ｂ先端の切欠部１１ｅ，１２ｅの重なりによって、茎保持部１１ｂ，１２ｂが開いてしまうことがない。
【００３１】
＜実施の形態２＞
図６〜図９は、本発明の実施の形態２に係る誘引用クリップ（以下、単に「クリップ」と称することがある。）２０を示すものである。本実施の形態２と実施の形態１に係るクリップ１０との相違点は、軸部とフック部との係合関係の構成である。
【００３２】
この実施の形態２に係るクリップ２０は、第１の挟持片２１と第２の挟持片２２とからなり、第１の挟持片２１には摘み部２１ａと茎保持部２１ｂが一体形成され、第２の挟持片２２にも摘み部２２ａと茎保持部２２ｂが一体形成されている。
【００３３】
第１の挟持片２１の中途部内側には所定の隙間を形成する上下壁２１ｄが設けられ、内側に突出した部位に軸部２１ｃが設けられている。第２の挟持片２２の中途部内側には、第１の挟持片２１の上下壁２１ｄの隙間に入り込む厚さの薄肉部２２ｄと、その先端に釣針状のフック部２２ｃが設けられている。フック部２２ｃの基部には、薄肉部２２ｄの厚みよりも厚くなっている突起部２２ｆが設けられている。第１の挟持片２１中途部は、第２の挟持片２２の薄肉部２２ｄが入り込み、上下壁２１ｄの内周部とともに誘引紐を挟む紐挟み部２０ａが形成されている。
【００３４】
第１の挟持片２１と第２の挟持片２２の茎保持部２１ｂ，２２ｂの先端は、４等分の対角側に切欠部２１ｅ，２２ｅが設けられており、茎保持部２１ｂ，２２ｂを閉じたときに、互いの切欠部２１ｅ，２２ｅが切欠部２１ｅ，２２ｅを設けていない先端部に入り込んで、所定の寸法の重なり代（図示せず）が生じるようにしている。
【００３５】
以上の構成の第１の挟持片２１と第２の挟持片２２を組み立てる際には、図９に示すように、第１の挟持片２１の上下壁２１ｄの隙間から第２の挟持片２２のフック部２２ｃを奥まで挿し込むように装着し、Ｃ状金属製バネ２３を摘み部２１ａ，２２ａの長穴に挿入し、挟持片２１，２２の茎保持部２１ｂ，２２ｂを先端の切欠部２１ｅ，２２ｅが重なるまで閉じることで、第２の挟持片２２に設けられている突起部２２ｆに第１の挟持片２１の軸部２１ｃが当たり、支点部が抜けなくなる。その後、既にセットされているＣ状金属製バネ２３を組み込む。
【００３６】
金属製バネ２３が組み込まれたクリップ２０の摘み部２１ａ，２２ａを摘んで、茎保持部２１ｂ，２２ｂを開いた時、支点となる組合せ部のフック部２２ｃには、第１の挟持片２１に設けられている軸部２１ｃが係合しているので、金属製バネ２３の力が加わり、押さえ付けられても、支点部が潰れたり、割れたりせずに回転し、茎保持部２１ｂ，２２ｂが開く。
後の作用効果は、実施の形態１と同様であるので、説明を省略する。
【産業上の利用可能性】
【００３７】
本発明は、茎の生長や収穫に応じて、常に茎の留め替え、移動や薬剤散布、紫外線照射等の環境の中でも、長年使用しても劣化による破損が少なく、低価格で茎の重量により、誘引紐からずれたりしない作業性の良い誘引用クリップとして、ビニルハウス栽培を始めとした施設園芸において、好適に利用することができる。
【符号の説明】
【００３８】
１０  誘引用クリップ（クリップ）
１０ａ  紐挟み部
１１  第１の挟持片
１１ａ  摘み部
１１ｂ  茎保持部
１１ｃ  軸部
１１ｄ  肉薄部
１１ｅ  切欠部
１１ｆ  突起部
１２  第２の挟持片
１２ａ  摘み部
１２ｂ  茎保持部
１２ｃ  フック部
１２ｄ  上下壁
１２ｅ  切欠部
１２ｆ  紐滑り込み防止凸部
１３  金属製バネ
２０  誘引用クリップ（クリップ）
２０ａ  紐挟み部
２１  第１の挟持片
２１ａ  摘み部
２１ｂ  茎保持部
２１ｃ  軸部
２１ｄ  上下壁
２１ｅ  切欠部
２２  第２の挟持片
２２ａ  摘み部
２２ｂ  茎保持部
２２ｃ  フック部
２２ｄ  肉薄部
２２ｅ  切欠部
２２ｆ  突起部
２３  金属製バネ
【図１】
0006054068.tif 000002
【図２】
0006054068.tif 000003
【図３】
0006054068.tif 000004
【図４】
0006054068.tif 000005
【図５】
0006054068.tif 000006
【図６】
0006054068.tif 000007
【図７】
0006054068.tif 000008
【図８】
0006054068.tif 000009
【図９】
0006054068.tif 000010
【図１０】
0006054068.tif 000011
【図１１】
0006054068.tif 000012
【図１２】
0006054068.tif 000013
【図１３】
0006054068.tif 000014
【図１４】
0006054068.tif 000015
【図１５】
0006054068.tif 000016
【図１６】
0006054068.tif 000017
【図１７】
0006054068.tif 000018
【図１８】
0006054068.tif 000019
【図１９】
0006054068.tif 000020
【図２０】
0006054068.tif 000021
【図２１】
0006054068.tif 000022